(57)【要約】【課題】ＩＴＳ車載器において、マルチメディアコンテンツを含むコンテンツが、有効期限の終了後に再生できなくなるのを防止する。【解決手段】路側装置から有効期限が設定可能で所定のマルチメディアコンテンツを含むことができるコンテンツの配信を受ける車載装置であって、路側装置から配信を受けたコンテンツを蓄積するための記憶手段を備えたものにおいて、記憶手段において蓄積されているコンテンツのうち、有効期限が終了しており、かつ前記所定のマルチメディアコンテンツを含むものについて、削除されるのを禁止する削除禁止手段（ステップＳ５〜Ｓ９）と、削除禁止手段により削除が禁止されたコンテンツに含まれる前記所定のマルチメディアコンテンツに関するキーワードを、該コンテンツを特定する識別情報とともに登録する登録手段（Ｓ１０〜Ｓ１３）とを設ける。【選択図】図１７
2010108184.tif 000002
【特許請求の範囲】
【請求項１】
路側装置から、マルチメディアコンテンツを含むことができるコンテンツの配信を受ける車載装置であって、
前記路側装置から配信を受けたコンテンツを蓄積するための記憶手段と、
前記記憶手段において蓄積されているコンテンツのうち、有効期限が終了しており、かつ前記マルチメディアコンテンツを含むものについて、削除されるのを禁止する削除禁止手段と、
前記削除禁止手段により削除が禁止されたコンテンツに含まれる前記マルチメディアコンテンツに関するキーワードを、該コンテンツを特定する識別情報とともに登録する登録手段とを具備することを特徴とする車載装置。
【請求項２】
前記登録手段により登録されているキーワードを表示して、いずれかのキーワードの選択を受け入れる選択手段と、
前記選択手段により選択されたキーワードに対応する前記識別情報により特定されるコンテンツを再生する再生手段とを有することを特徴とする請求項１に記載の車載装置。
【請求項３】
路側装置から、マルチメディアコンテンツを含むことができるコンテンツの配信を受ける車載装置におけるコンテンツ再生方法であって、
前記路側装置から配信を受けたコンテンツを記憶装置において蓄積する蓄積工程と、
前記記憶装置において蓄積されているコンテンツのうち、有効期限が終了しており、かつ前記マルチメディアコンテンツを含むものについて、削除されるのを禁止するための処理を行う削除禁止工程と、
前記削禁止工程による処理が行われたコンテンツに含まれる前記マルチメディアコンテンツに関するキーワードを、該コンテンツを特定する識別情報とともに登録する登録工程と、
前記登録工程により登録されたキーワードのうち、選択されたものに対応する識別情報により特定されるコンテンツを再生する再生工程とを具備することを特徴とするコンテンツ再生方法。
【発明の詳細な説明】
【技術分野】
【０００１】
本発明は、路側装置からコンテンツの配信を受ける車載装置、及び該車載装置におけるコンテンツ再生方法に関する。
【背景技術】
【０００２】
近年、通信メディアとしてＤＳＲＣ（Dedicated Short Range Communication）を利用したタウンカーライフナビという情報提供サービスが提案されている。この情報提供サービスにおいては、社団法人電子情報技術産業協会発行のＩＴＳ車載器標準規格書で規定されているＩＴＳ車載器に対し、タウンカーライフナビマルチコンテンツデータ形式というデータ形式に従って構成されるコンテンツが、ＤＳＲＣシステムに対応した路側機を介して配信される。
【０００３】
従来、前記車載器では、ＤＳＲＣ等を利用して路上に設置された路側無線装置と狭域無線通信を行い、当該路側無線装置を介してセンター装置から情報提供を受けることが可能となっている。すなわち、車両が路側無線装置の通信範囲内にある間のみ、車両の車載器と路側無線装置との双方向通信が可能となり、この間にセンター装置が路側無線装置を介して、地域情報（例えば周辺の店舗や医療機関の情報）や広告情報等の各種コンテンツ情報を配信するのである。
【０００４】
また、前記車載器では、路側無線装置から配信された各種コンテンツ情報を記憶することにより、路側無線装置と通信できない環境においても当該各種コンテンツ情報を再生することが可能になっている（特許文献１参照）。従来の前記車載器においては、配信されたコンテンツはすべて同一の音響設定のもとで再生されるようになっている。
【０００５】
なお、特許文献１には、ＤＳＲＣに関連した技術として、路側機から受信した情報の格納方法を運転者が設定することができるようにすることによって、受信した情報のうちの所望のものを運転者が後で再確認できるようにした車載器に関する技術が記載されている。
【０００６】
【特許文献１】特開２００７−１０９０３２号公報
【発明の開示】
【発明が解決しようとする課題】
【０００７】
しかしながら、上述従来のＩＴＳ車載器によれば、配信を受けたコンテンツを有効期限が終了した後も保持しておくかどうかはＩＴＳ車載器側の任意であるため、配信を受けて蓄積されたコンテンツのうちの有効期限が終了したものついては、削除されたり、非表示とされたりする場合がある。この場合、削除や非表示とされたコンテンツに含まれる音楽や動画等のマルチメディアコンテンツも再生することができくなくなる。また、削除や非表示とされたコンテンツからリンクされているコンテンツも、リンクが途切れるので再生することができなくなる。
【０００８】
本発明の目的は、かかる従来技術の問題点に鑑み、ＩＴＳ車載器において、マルチメディアコンテンツを含むコンテンツが、有効期限の終了後に再生できなくなるのを防止することにある。
【課題を解決するための手段】
【０００９】
この目的を達成するため、第１の発明に係る車載装置は、路側装置から、マルチメディアコンテンツを含むことができるコンテンツの配信を受ける車載装置であって、前記路側装置から配信を受けたコンテンツを蓄積するための記憶手段と、前記記憶手段において蓄積されているコンテンツのうち、有効期限が終了しており、かつ前記マルチメディアコンテンツを含むものについて、削除されるのを禁止する削除禁止手段と、前記削除禁止手段により削除が禁止されたコンテンツに含まれる前記マルチメディアコンテンツに関するキーワードを、該コンテンツを特定する識別情報とともに登録する登録手段とを具備することを特徴とする。マルチメディアコンテンツとしては、たとえば画像ファイルや、オーディオファイル、ビデオファイルにより構成されるものが該当する。
【００１０】
第２の発明に係る車載装置は、第１発明において、前記登録手段により登録されているキーワードを表示して、いずれかのキーワードの選択を受け入れる選択手段と、前記選択手段により選択されたキーワードに対応する前記識別情報により特定されるコンテンツを再生する再生手段とを有することを特徴とする。
【００１１】
第３の発明に係るコンテンツ再生方法は、路側装置から、マルチメディアコンテンツを含むことができるコンテンツの配信を受ける車載装置におけるコンテンツ再生方法であって、前記路側装置から配信を受けたコンテンツを記憶装置において蓄積する蓄積工程と、前記記憶装置において蓄積されているコンテンツのうち、有効期限が終了しており、かつ前記マルチメディアコンテンツを含むものについて、削除されるのを禁止するための処理を行う削除禁止工程と、前記削禁止工程による処理が行われたコンテンツに含まれる前記マルチメディアコンテンツに関するキーワードを、該コンテンツを特定する識別情報とともに登録する登録工程と、前記登録工程により登録されたキーワードのうち、選択されたものに対応する識別情報により特定されるコンテンツを再生する再生工程とを具備することを特徴とする。
【発明の効果】
【００１２】
本発明によれば、マルチメディアコンテンツを含むコンテンツが、有効期限の終了後に再生できなくなるのを防止することができる。
【発明を実施するための最良の形態】
【００１３】
図１は本発明の一実施形態に係る路車間ＤＳＲＣシステム１０の概略図である。路車間ＤＳＲＣシステム１０は、タウンカーライフナビによる情報提供サービスに利用され、そのサービスにおいては、タウンカーライフナビマルチコンテンツ形式のデータが用いられる。路側機１１は、サーバ１２と共に路側装置１５を構成し、有線又は無線でサーバ１２へ接続されている。サーバ１２は、さらに、インターネット等のネットワークを介して別のサーバとデータを送受自在になっている。路側機１１は、直径がほぼ数ｍ〜３０ｍのエリアに存在する自動車１３に搭載されているＩＴＳ車載器１７とは５．８ＧＨｚ帯の電波を使ってデータを送受する。ＩＴＳ車載器１７はＤＳＲＣ部１８及びナビ部１９を有している。
【００１４】
図２はデータ伝送態様の説明図である。マルチコンテンツ形式のダウンリンクでは、データをその種類に応じて分類し、分類ごとにＩＤコード（大区分ＩＤ）「００」、「０１」、「０２」、・・・を割り振っている。マルチコンテンツ形式のデータ伝送では、データが情報グループを単位に括られ、各情報グループは先頭にＩＤコードが「００」（以下、「ＩＤ＝００」のように記す。）の分類データをもつ。ＩＤ＝００の分類データは、その情報グループに含まれているＩＤにはどのようなものがあるかを示す構成情報となっている。
【００１５】
図３は情報グループの構成について各ＩＤが必須か任意かを示す図である。ＩＤ＝０、１、２は、各情報グループに必ず含めなければならない。ＩＤ＝３、４、５は、ＩＤ＝６０のみの情報提供の場合には情報グループに含める必要はないが、その他の情報提供の場合には、情報グループに必ず含める必要がある。その他のＩＤは情報グループに含めるか否かは任意である。
【００１６】
図４〜図７はダウンリンクで使用する各ＩＤに割り当てる分類表である。ＩＤ＝００は構成ＩＤ情報（各情報グループがどのようなＩＤを格納しているかを記述する領域）の分類となっている。ＩＤ＝０１は、事業者の分類となっており、サービス事業者コード（サービス事業者を特定できる事業者コード）、サービス事業者表示テキスト（ナビ表示用サービス事業社名(サービス名)テキスト情報）、及びサービス事業者表音文字列（ナビ発話用サービス事業社名(サービス名)表音文字列情報）を含む。
【００１７】
ＩＤ＝０２はコンテンツの分類となっており、企業コード（コンテンツの情報提供元を特定できるコード）、企業表示テキスト（ナビ表示用情報提供企業名テキスト情報）、企業表音文字列（ナビ発話用情報提供企業名表音文字列情報）、情報コード（コンテンツを特定できる情報コード）、情報表示テキスト（ナビ表示用コンテンツ内容テキスト情報）、情報表音文字列（ナビ発話用コンテンツ内容表音文字列情報）、及び嗜好データカテゴリー（情報が該当する情報カテゴリーを示すカテゴリーコード）を含む。
【００１８】
ＩＤ＝０３は、ＩＤ＝０２と同様に、コンテンツの分類となっており、即時再生／蓄積コード（受信後のコンテンツ再生動作を表すコード）、及び再生条件コード（情報提供エリアでのコンテンツ再生条件を示すコード）を含む。
【００１９】
ＩＤ＝０４は、有効期限の分類となっており、開始年月日時分秒（コンテンツの有効期限）、及び終了年月日時分秒（コンテンツの有効期限）を含む。ＩＤ＝０５は、提供時間の分類となっており、営業時間（コンテンツ提供元の営業時間）、及び情報提供時間（コンテンツ提供時間）を含む。
【００２０】
ＩＤ＝１０は、対象地点の分類となっており、対象地点座標（サービス提供可能な地点の緯度経度情報）、対象地点表示用テキスト（サービス名称(店舗名称等)）、提携駐車場情報（対象地点以外の提携駐車場情報）、アイコン表示画像データ（サービス提供可能な場所を表すアイコンのデータ）、表示用文字データ（サービスの説明用テキスト情報）、表示画像データ（サービスを表す静止画情報）、表音文字列データ（サービスを表す表音文字列情報）、圧縮音声データ（圧縮音声データ情報）、音声再生順（表音文字列と圧縮音声の再生順序を表す）、ビデオデータ（ビデオデータ情報）、及びＵＲＬ（サービスを表すＵＲＬ情報）を含む。
【００２１】
ＩＤ＝２０は、情報提供地点の分類となっており、計５個の情報提供地点について、情報提供中心座標（ポップアップ情報を再生する緯度経度情報）、情報提供エリア（ポップアップ情報を再生するエリアを定義する中心座標からの半径情報）、情報提供方向コード（ポップアップ情報を再生する情報提供方向情報）、情報提供道路種別（ポップアップ情報を再生する道路種別情報）、表示画像データ（ポップアップ再生する静止画のデータ）、表音文字列データ（ポップアップ再生する表音文字列情報、圧縮音声データポップアップ再生する圧縮音声のデータ）、及び音声再生順（ポップアップ再生する音声データの再生順番を表すコード）を含む。
【００２２】
ＩＤ＝３０は、遷移情報の分類となっており、計８個の次再生情報コード（画面遷移情報）を含む。ＩＤ＝４０は、詳細情報の分類となっており、計８個の各詳細情報について、表示用文字データ（ナビ表示用詳細情報テキスト情報）、及び発話用表音文字列（ナビ発話用詳細情報表音文字列情報）を含む。
【００２３】
ＩＤ＝５０は、駐車場情報の分類となっており、最大１５個の各駐車場について、駐車場ＩＤ（駐車場を特定できるＩＤ）、詳細情報（駐車場の動的詳細情報）、及び特記事項（駐車場の特記事項）を含む。
【００２４】
ＩＤ＝５１は、ナビ部１９に格納されている駐車場の静的情報を３次メッシュ単位で最大４メッシュ分更新することが可能になる。ＩＤ＝５１は、３次メッシュ数（更新する駐車場静的情報を含む３次メッシュ数を通知するもの）、１〜４の各メッシュについて、３次メッシュコード（更新する駐車場静的情報を含む３次メッシュコード）、３次メッシュバージョン情報（更新する駐車場静的情報が含まれる３次メッシュのバージョン情報）、３次メッシュ駐車場数（更新するメッシュに含まれる駐車場静的情報数）、３次メッシュ駐車場静的情報（更新する駐車場の静的情報）を含む。
【００２５】
ＩＤ＝６０は、運転支援の分類であり、運転支援画像データ（運転支援画像情報）、運転支援表音文字列（データ運転支援表音文字列情報）、運転支援圧縮音声（データ運転支援圧縮音声情報）、及び音声再生順（表音文字列と圧縮音声の再生順序を表す）が含まれる。
【００２６】
ＩＤ＝８０は、嗜好データの分類であり、計１２７個の各嗜好データのテーブルについて、嗜好データバージョン（嗜好データのテーブルのバージョン情報）、嗜好データテーブル（
嗜好データのテーブルの表示用テキスト情報）、表音文字列（嗜好データのテーブルの発話用表音文字列情報）、及び詳細情報（嗜好データのテーブルの詳細情報）が含まれる。
【００２７】
図８は路側装置１５−ＩＴＳ車載器１７間のトランザクションで実施される各機器間の通信及び処理を示している。路側機１１及びサーバ１２は路側装置１５を構成する。ＩＴＳ車載器１７はＤＳＲＣ部１８及びナビ部１９を有している。時間順に説明する。なお、路側機１１−ＤＳＲＣ部１８間の通信はＤＳＲＣの電波で行われ、路側機１１−サーバ１２間及びＤＳＲＣ部１８−ナビ部１９間の通信は通常、ケーブルで行われる。
【００２８】
ＩＴＳ車載器１７において電源が投入されるのに伴い、Ｓ１０では、ナビ部１９からＤＳＲＣ部１８へクライアントインフォメーションデータが書き込まれる。ＩＴＳ車載器１７を搭載する自動車１３が路側機１１との通信可能な距離（例：約３０ｍ）の電波到達エリアに進入（エリアイン）するのに伴い、Ｓ１１では、路側機１１−ＤＳＲＣ部１８間でＤＳＲＣ接続処理が実施される。
【００２９】
Ｓ１１のＤＳＲＣ接続処理が終了すると、Ｓ１２、Ｓ１３でＤＳＲＣ接続通知が行われる。Ｓ１２の接続通知は路側機１１からサーバ１２へのものであり、Ｓ１３の接続通知はＤＳＲＣ部１８からナビ部１９へのものである。Ｓ１４では、クライアントインフォメーションがＤＳＲＣ部１８から路側機１１を経てサーバ１２へ通知される。
【００３０】
サーバ１２は、ＤＳＲＣ部１８からのクライアントインフォメーション通知に基づきＩＴＳ車載器１７のユーザが会員か非会員かを判別したり、ＩＴＳ車載器１７でコンテンツを適正に再生するためのＩＴＳ車載器１７のハードウェア情報を知得する。Ｓ１８では、サーバ１２から路側機１１及びＤＳＲＣ部１８を経てナビ部１９へＷｅｌｃｏｍｅ画面等のコンテンツを送信する。該コンテンツはマルチコンテンツフォーマットで編成されている。ナビ部１９は、マルチコンテンツフォーマットからサービス事業者を判断する。
【００３１】
サーバ１２は、Ｓ１８後、ナビ部１９がアップリンク情報をＤＳＲＣ部１８に書き込むまで、Ｓ１９でＤＳＲＣ部１８に対して定期的にポーリングを行う。Ｓ２０では、ナビ部１９は、該サービス事業者の会員であれば、アップリンク情報をＤＳＲＣ部１８に書き込むのに対し、会員でなければ、何もしない。
【００３２】
Ｓ２４では、サーバ１２は、路側機１１及びＤＳＲＣ部１８を経由してデフォルトのコンテンツ（例：Ｗｅｌｃｏｍｅ画面）をナビ部１９へ送る。Ｓ２９では、サーバ１２は、ＤＳＲＣ部１８に対してメモリアクセスポーリングを実施する。これに対して、Ｓ３０では、ＤＳＲＣ部１８は、ユーザが会員であれば、アップリンク情報をサーバ１２へ通知する。
【００３３】
Ｓ３３では、サーバ１２は、アップリンク情報から取得した会員情報に基づき会員趣向に適した蓄積型コンテンツをマルチコンテンツフォーマット（図２）で編成してＩＴＳ車載器１７へ配信する。後述するように、路側装置１５は、Ｓ３３の期間中、蓄積型コンテンツの配信を１回以上、中断して、即時再生型コンテンツの配信を割込ませる。Ｓ３４では、蓄積型コンテンツの配信終了を通知する。ＩＴＳ車載器１７を搭載する自動車１３は、配信終了に伴い路側機１１との通信エリアから退出する。
【００３４】
図９はＩＴＳ車載器１７から路側装置１５へ送られるアップリンク情報のデータ説明図である。アップリンク情報は、複数のタグで送られる。タグ１には、サービス事業者コード、目的地（緯度経度）、経由地（緯度経度）１〜５、累計走行距離、嗜好ジャンルデータバージョン、嗜好ジャンルデータ、会員情報１〜８が含められる。タグ２には、サービス事業者コード、過去立寄り地（緯度経度）１〜４１が含められる。タグ３には、サービス事業者コード、過去立寄り地（緯度経度）４２〜８２が含められる。
【００３５】
タグ４には、サービス事業者コード、受信／再生履歴（受信情報コード及び再生識別フラグ）１〜１２３が含められる。タグ５には、サービス事業者コード、受信／再生履歴（受信情報コード及び再生識別フラグ）１２４〜２４６が含められる。
【００３６】
図１０はＩＤ＝８０の嗜好データの一例をテーブル表現した説明図である。嗜好データは、嗜好データ番号、嗜好データ表示用テキスト、嗜好データ表示用ネスト、嗜好データ対象識別子、嗜好データデフォルト値、表音文字列により構成される。嗜好データ番号は、０〜１２７の最大、計１２８個存在し、サービス業者が各データ番号の項目を自由に設定することができる。１２８の項目の内、最大９６項目がＳ３０（図４）でＩＴＳ車載器１７から路側装置１５へアップリンク情報として通知される。
【００３７】
アップリンク情報として通知される９６項目中、１２項目は、公共情報提供サービス目的に利用され、ＤＳＲＣ通信において情報提供を行う際にはデフォルトで配信する情報項目となっている。図１０の嗜好データテーブルにおいて、表示用ネストは、各項目（図１０のデータ番号に対応する。）の階層を意味し、大きい数値ほど、下の階層を意味している。対象識別子は、それが「０」となっている項目は、ナビ部１９における嗜好データのチェック付け画面（後述の図１１）においてチェック対象となっていないことを意味し、それが「１」となっている項目は、該チェック付け画面においてチェック対象となっていることを意味する。デフォルト値は、それが「０」となっている項目は、チェック付けの初期画面にチェック無しで表示することを意味し、それが「１」となっている項目は、チェック付けの初期画面にチェック有りで表示することを意味する。
【００３８】
図１１は路側装置１５から嗜好データを受信したＩＴＳ車載器１７がナビ部１９の表示器に表示するチェック付けの画面の一例である。ユーザはスクロールバー２３をドラッグすることにより画面を上下方向へスクロールすることができる。図１１において、ユーザがオンボタンをクリックすると、チェックを付けたことになり、オフボタンをクリックすると、チェックを外したことになる。各項目において、「オン」及び「オフ」の内、字体が斜体になっている方をユーザが選択したことを意味している。受信した嗜好データのデフォルト値が「０」（例：図１０のバーゲン情報及びクーポン情報）である項目はオフ（チェック無し）となっており、また、受信した嗜好データのデフォルト値が「１」（例：図１０の駐車場情報）である項目はオン（チェック有り）となっている。
【００３９】
図１２は路側機１１の構成を示すブロック図である。同図に示すように、路側機１１は必要な処理を行い、路側機１１の各部を制御する制御部１１１、制御部１１１が実行するプログラム等を記憶するＲＯＭ１１２、制御部１１１が使用するＲＡＭ１１３、制御部１１１が補助記憶装置として使用する記憶装置１１４、制御部１１１がＩＴＳ車載器１７との間でＤＳＲＣ通信を行うための無線通信部１１５、及び制御部１１１がサーバ１２との間でＩＴＳ通信網（高度道路交通システム通信網）２０を介して通信を行うための通信制御部１１６を備える。
【００４０】
図１３はＩＴＳ車載器１７の構成を示すブロック図である。同図に示すように、ＩＴＳ車載器１７は、必要な処理を行い、ＩＴＳ車載器１７の各部を制御する制御部１７１、制御部１７１が実行するプログラム等を記憶するＲＯＭ１７２、制御部１７１が処理に際して使用するＲＡＭ１７３、制御部１７１が補助記憶装置として使用する記憶装置１７４、制御部１７１が無線通信を行うための通信部１７５、制御部１７１に対して操作入力により指示を与えるための操作部１７６、制御部１７１がユーザに対して通知する情報を表示するための表示部１７７、ユーザが制御部１７１に対して音声入力により指示を与えるためのマイク１７８、制御部１７１がユーザに対し音声出力により情報を通知するためのスピーカ１７９、マイク１７８及びスピーカ１７９と、制御部１７１との間に介在し、音声認識や音声合成等の処理を行う音声処理部１８０、並びに制御部１７１と、センサ群１８１との間に介在し、センサ群１８１からの出力を制御部１７１に受け渡す入出力装置１８２を備える。
【００４１】
通信部１７５は、ＧＰＳ衛星から送出される電波を受信して測位演算を実行し、測位情報を出力するＧＰＳモジュール１７５ａ、及び路側機１１１との間でＤＳＲＣ通信を行うためのＤＳＲＣモジュールを備える。センサ群１８１は車速センサ、ジャイロセンサ、パーキングセンサ等により構成される。制御部１７１は記憶装置１７４に記憶されている地図データベースを参照し、ＧＰＳモジュール１７５ａやセンサ群１８１からの情報に基づき、ナビゲーション機能も営む。
【００４２】
図１４はＩＴＳ車載器１７が配信を受けるコンテンツの「対象地点情報」（ＩＤ＝１０）に含まれる「項目有無情報」のフォーマットを示す。「項目有無情報」は、「対象地点情報」おいて設定可能な各項目についての設定の有無を示す情報である。同図に示すように、「対象地点情報」には「提携駐車場」、「ＵＲＬ」、「ビデオ」、「圧縮音声」、「表音文字列」、「表示用画像」、「表示用文字」、「対象地点」、及び「アイコン」の各データが設定可能であり、「項目有無情報」はこれらの項目についての設定の有無を表している。つまり、各データについて、「有無フラグ」が「０」であれば、そのデータは設定されておらず、「１」であれば設定されていることを示す。
【００４３】
「マルチメディア」の項目についての「有無フラグ」（以下、「マルチメディアフラグ」という。）が「１」の場合、その「対象地点情報」はマルチメディアファイルを含んでいることを意味する。ただし、ＩＤ＝１０に限り、マルチメディアフラグが「１」の場合、「表示用画像」は音楽ＣＤのジャケット写真であり、「圧縮音声」はその楽曲であり、「表示用文字」はアーティスト名及び楽曲名であることを表す。あるいは「表示用画像」は「ビデオ」のサムネイルであり、「ビデオ」はＰＶ（プロモーションビデオ）などの動画であり、「表示用文字」はアーティスト名及び楽曲名であることを表す。マルチメディアファイルとしては、この場合、「表示用画像」のデータにより構成される画像ファイルや、「圧縮音声」のデータにより構成されるオーディオファイルや、「ビデオ」のデータにより構成されるビデオファイルが該当する。
【００４４】
「表示用画像」のデータ形式としてはＪＰＧや、ＧＩＦ、ＰＮＧ、ＢＭＰが該当する。「圧縮音声」のデータ形式としてはＩＭＡ−ＡＤＰＣＭや、ＭＰ３、ＡＡＣ、ＣＥＬＰ、ＰＣＭが該当する。「ビデオ」のデータ形式としてはＭＰＥＧ−４や、ＷＭＶ，ＭＯＶ、Ｆｌａｓｈが該当する。
【００４５】
図１５はＩＴＳ車載器１７の表示部１７７において表示されるコンテンツの画面の一例を示す。図中の１４１は当該コンテンツの「対象地点情報」（ＩＤ＝１０）中の「表示画像データ」に基づいて表示された部分、１４２は該コンテンツの「遷移情報」（ＩＤ＝３０）における「次再生情報コード１」〜「次再生情報コード８」に基づいて生成された遷移ボタンである。「次再生情報コード１」〜「次再生情報コード８」には当該コンテンツの次に再生可能なコンテンツの「情報コード」（ＩＤ＝０２）が８つまで設定可能となっている。つまり、「情報コード」毎にコンテンツが存在するので、次に再生されるコンテンツも「情報コード」により特定される。遷移ボタン１４２は「情報コード」が設定されており、かつその「情報コード」により特定されるコンテンツが記憶装置１７４内に存在する「次再生情報コード１」〜「次再生情報コード８」の数だけ、順に「１」、「２」、・・・の番号を付随させながら表示される。図１５の例では、「次再生情報コード１」から「次再生情報コード４」までに「情報コード」が設定され、かつ対応するコンテンツが存在するので、「１」〜「４」の番号が付された４つの遷移ボタン１４２が表示されている。
【００４６】
上述の表示部分１４１において表示されている「１．くらし情報」、「２．お店の情報」、「３．ロードサイドサービス」、及び「４．駐車場案内」はそれぞれ上述の「１」〜「４」の番号が付された各遷移ボタン１４２を押下した場合に再生される次のコンテンツの概要を示すものとなっている。つまり、このように表示部分１４１の表示内容と各遷移ボタン１４２とが対応するように、「表示画像データ」（ＩＤ＝１０）及び「次再生情報コード１」〜「次再生情報コード８」（ＩＤ＝３０）が、当該コンテンツにおいて設定されている。
【００４７】
遷移ボタン１４２のいずれかが押下されると、ＩＴＳ車載器１７は、当該遷移ボタン１４２に対応する「次再生情報コード１」〜「次再生情報コード４」のいずれかの設定内容と同一の「情報コード」（ＩＤ＝０２）を有するコンテンツを検索し、そのコンテンツを再生する。つまり、検索されたコンテンツの「対象地点情報」（ＩＤ＝１０）中の「表示画像データ」及び「遷移情報」（ＩＤ＝３０）が設定されていれば、これらの設定内容に基づく画面に遷移する。このようにして「遷移情報」（ＩＤ＝３０）の設定内容に従い、コンテンツの画面を順次遷移させながら、各コンテンツを再生させることができるようになっている。その際、再生されるコンテンツのマルチメディアフラグが「１」であれば、「圧縮音声データ」（ＩＤ＝１０）に基づき、楽音が再生されたり、「ビデオデータ」（ＩＤ＝１０）に基づき、ビデオが再生されたりすることになる。
【００４８】
ＩＴＳ車載器１７においては、配信を受け、記憶装置１７４において蓄積されているコンテンツについて、有効期限が終了しているものであっても、マルチメディアフラグが「１」であるものについては削除することなく保存しておくようにしている。その際、そのコンテンツの再生が可能となるように、そのコンテンツの「対象地点情報」（ＩＤ＝１０）における「表示用文字データ」として設定されているアーティスト名及び楽曲名をキーワードとして登録するとともに、これに対応付けて、「情報提供企業情報」（ＩＤ＝０２）における「情報コード」を、当該コンテンツを特定するための識別情報として登録するようにしている。登録は、記憶装置１７４に設けられた串刺し検索用キーワードテーブルにおいて行われる。
【００４９】
図１６はこの串刺し検索用キーワードテーブルを示す。このテーブルの各レコードは、同図のように、「情報コード」及び対応する「キーワード」の項目により構成される。上述のように「情報コード」にはそのレコードに対応するコンテンツを特定する情報コードが記録され、「キーワード」にはそのコンテンツに設定されているアーティスト名及び楽曲名が記録される。
【００５０】
図１７はＩＴＳ車載器１７における串刺し検索用キーワードテーブルへの登録処理を示すフローチャートである。この処理は所定のタイミングにおいて定期的に行われる。処理を開始すると、ＩＴＳ車載器１７はまず、ステップＳ１において、変数Ｃに対し、記憶装置１７４に保存されているコンテンツの数を設定する。次に、ステップＳ２においてカウンタＮに対し「１」をセットする。次に、ステップＳ３において、現在時刻を取得する。次に、ステップＳ４において、カウンタＮが変数Ｃ以下であるか否かを判定する。
【００５１】
変数Ｃ以下であると判定した場合には、ステップＳ５へ進み、Ｎ番目のコンテンツの有効期限を取得する。次に、ステップＳ６において、該有効期限を現在時刻と比較し、Ｎ番目のコンテンツの有効期限が終了しているか否かを判定する。有効期限が終了していないと判定した場合にはステップＳ１４へ進む。有効期限が終了していると判定した場合にはステップＳ７に進み、Ｎ番目のコンテンツにおける「対象地点情報」（ＩＤ＝１０）における「項目有無情報」（図１４）を抽出する。
【００５２】
次に、ステップＳ８において、該「項目有無情報」におけるマルチメディアフラグが「１」であるか否かを判定する。「１」ではないと判定した場合には、ステップＳ１４へ進む。「１」であると判定した場合には、ステップＳ９へ進み、Ｎ番目のコンテンツの削除禁止管理フラグを「１」に設定する。削除禁止管理フラグは、そのフラグが設けられたコンテンツについての削除が禁止されているかどうかを示すものであり、「１」であれば削除が禁止されており、「０」であれば削除が禁止されていないことを意味する。削除禁止管理フラグが「１」に設定された場合、そのコンテンツはその後、ユーザによる指示が無い限り、削除されることはない。このフラグはそのコンテンツにおける所定の空き領域に設けることができる。
【００５３】
次に、ステップＳ１０において、Ｎ番目のコンテンツの「情報提供企業情報」（ＩＤ＝０２）における「情報コード」を抽出する。次に、ステップＳ１１において、Ｎ番目のコンテンツの「対象地点情報」（ＩＤ＝１０）における「表示用文字データ」を抽出する。次に、ステップＳ１２において、該「表示用文字データ」からアーティスト名、及び楽曲名を抽出する。次に、ステップＳ１３において、抽出した「情報コード」の内容、並びにアーティスト名及び楽曲名をそれぞれ、串刺し検索用キーワードテーブルにおける「情報コード」及び「キーワード」の項目として登録し、ステップＳ１４へ進む。
【００５４】
ステップＳ１４では、カウンタＮをインクリメントし、ステップＳ４に戻る。ステップＳ４において、カウンタＮが変数Ｃ以下ではないと判定した場合には、図１７の処理を終了する。以上の処理を定期的に行うことにより、各処理時点において、新たに有効期限が終了していると判定された、マルチメディアフラグが「１」であるコンテンツについて、削除が禁止され、串刺し検索用キーワードテーブルへの追加登録がなされることになる。
【００５５】
図１８はＩＴＳ車載器１７における串刺し検索によるコンテンツ再生処理を示すフローチャートである。ユーザからの所定の指示に応じて処理を開始すると、ＩＴＳ車載器１７は、まず、ステップＳ２１において、串刺し検索用のキーワードの数、すなわち串刺し検索用キーワードテーブルに登録されているレコード数を変数Ｄに設定する。次に、ステップＳ２２において、カウンタＮに「１」をセットする。次に、ステップＳ２３〜Ｓ２５において、串刺し検索用のコンテンツ選択画面を表示部１７７において表示する。すなわちステップＳ２３においてカウンタＮが変数Ｄを超えるまでステップＳ２５においてカウンタＮをインクリメントしながら、ステップＳ２４において、串刺し検索用キーワードテーブルにおけるＮ番目のレコード内のキーワード及び対応する選択ボタンを表示する。
【００５６】
図１９はこのようにして表示されるコンテンツ選択画面を示す。図中の、１９１は選択ボタン、１９２は各選択ボタン１９１の押下により再生されるコンテンツの内容を示すキーワードである。選択ボタン１９１及びキーワード１９２はステップＳ２４において表示されたものである。キーワード１９２は上述のようにアーティスト名及び楽曲名により構成される。ユーザがいずれかの選択ボタン１９１を押下することにより所望のキーワード１９２を選択し、対応するコンテンツを再生させることができるようになっている。
【００５７】
図１８へ戻り、次に、ステップＳ２６において、いずれかの選択ボタン１９１の押下によりキーワードの選択がなされるのを待機する。キーワードの選択がなされるとステップＳ２７へ進み、コンテンツ選択画面を消去する。次に、ステップＳ２８において、選択されたキーワードに対応する串刺し検索用キーワードテーブル中の情報コードにより特定されるコンテンツの再生を行う。このコンテンツにはマルチメディアコンテンツが含まれており、対応する楽音やビデオの再生が行われることになる。この後、図１８の処理を終了する。
【００５８】
本実施形態によれば、有効期限が終了したマルチメディアフラグが「１」であるコンテンツについては、削除せずに保持しておき、串刺し検索用キーワードテーブルへの登録を行い、串刺し検索用のコンテンツ選択画面から選択して再生を行ううことができるようにしたため、かかるコンテンツが再生できなくなるのを防止することができる。
【００５９】
なお、本発明は上述実施形態に限定されることなく、適宜変形して実施することができる。たとえば、上述においては、図１７のステップＳ９において、マルチメディアコンテンツを含むコンテンツが削除されるのを禁止する措置として、当該コンテンツの削除禁止管理フラグを「１」に設定するようにしているが、この代わりに、コンテンツのデータ領域以外の領域において各コンテンツの削除の可否を登録するテーブルを設け、このテーブルにより各コンテンツの削除の可否を管理するようにしてもよい。あるいは、図１６のテーブルを用い、このテーブルに登録されているコンテンツは削除が禁止されているとみなすようにしてもよい。
【００６０】
また、上述においては、マルチメディアフラグが「１」であるコンテンツについて、「対象地点情報」（ＩＤ＝１０）における「表示用文字データ」に含まれるアーティスト名及び楽曲名をキーワードとして登録するようにしているが、この代わりに、該コンテンツから抽出することができるマルチメディアファイルのタグ情報に含まれるアーティスト名や楽曲名、ジャンル名をキーワードとして登録するようにしてもよい。
【図面の簡単な説明】
【００６１】
【図１】本発明の一実施形態に係る路車間ＤＳＲＣシステムの概略図である。
【図２】タウンカーライフナビマルチコンテンツ形式のデータ伝送態様の説明図である。
【図３】タウンカーライフナビマルチコンテンツデータにおける情報グループの構成について各ＩＤが必須か任意かを示す図である。
【図４】タウンカーライフナビマルチコンテンツデータの各ＩＤに割り当てられた内容を示す分類表である。
【図５】図４の表の続きを示す図である。
【図６】図５の表の続きを示す図である。
【図７】図６の表の続きを示す図である。
【図８】路側装置及びＩＴＳ車載器間のトランザクションで実施される各機器間の通信及び処理を示す図である。
【図９】ＩＴＳ車載器から路側装置へ送られるアップリンク情報のデータ説明図である。
【図１０】タウンカーライフナビマルチコンテンツデータにおけるＩＤ＝８０の嗜好データの一例をテーブル表現した説明図である。
【図１１】路側装置から嗜好データを受信したＩＴＳ車載器がナビ部の表示器に表示するチェック付けの画面の一例を示す図である。
【図１２】図１のシステムにおける路側機の構成を示すブロック図である。
【図１３】図１のシステムにおけるＩＴＳ車載器の構成を示すブロック図である。
【図１４】タウンカーライフナビマルチコンテンツデータにおける「対象地点情報」（ＩＤ＝１０）に含まれる「項目有無情報」のフォーマットを示す図である。
【図１５】図１３のＩＴＳ車載器において表示されるコンテンツ画面の一例を示す図である。
【図１６】図１３のＩＴＳ車載器における串刺し検索用キーワードテーブルを示す図である。
【図１７】図１３のＩＴＳ車載器における串刺し検索用キーワードテーブルへの登録処理を示すフローチャートである。
【図１８】図１３のＩＴＳ車載器における串刺し検索によるコンテンツ再生処理を示すフローチャートである。
【図１９】図１８の処理において表示されるコンテンツ選択画面を示す図である。
【符号の説明】
【００６２】
１０：路車間ＤＳＲＣシステム、１１：路側機、１２：サーバ、１３：自動車、１７：ＩＴＳ車載器、１８：ＤＳＲＣ部、１９：ナビ部、２０：ＩＴＳ通信網、２３：スクロールバー、１１１：制御部、１１２：ＲＯＭ、１１３：ＲＡＭ、１１４：記憶装置、１１５：無線通信部、１１６：通信制御部、１４１：表示部分、１４２：遷移ボタン、１７１：制御部、１７２：ＲＯＭ、１７３：ＲＡＭ、１７４：記憶装置、１７５：通信部、１７５ａ：ＧＰＳモジュール、１７５ｂ：ＤＳＲＣモジュール、１７６：操作部、１７７：表示部、１７８：マイク、１７９：スピーカ、１８０：音声処理部、１８１：センサ群、１８２：入出力装置，１９１：選択ボタン、１９２：キーワード。
【図１】
2010108184.tif 000003
【図２】
2010108184.tif 000004
【図３】
2010108184.tif 000005
【図４】
2010108184.tif 000006
【図５】
2010108184.tif 000007
【図６】
2010108184.tif 000008
【図７】
2010108184.tif 000009
【図８】
2010108184.tif 000010
【図９】
2010108184.tif 000011
【図１０】
2010108184.tif 000012
【図１１】
2010108184.tif 000013
【図１２】
2010108184.tif 000014
【図１３】
2010108184.tif 000015
【図１４】
2010108184.tif 000016
【図１５】
2010108184.tif 000017
【図１６】
2010108184.tif 000018
【図１７】
2010108184.tif 000019
【図１８】
2010108184.tif 000020
【図１９】
2010108184.tif 000021